【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
予め設定された感知ハードウェアを介して、ユーザのアイデンティティの検証を必要とする目標タスクの実行の要求に応じて仮想現実(VR)端末とインタラクションするユーザのインタラクションの特徴を取得するステップと、
前記ユーザのアイデンティティを検証するために、前記ユーザの前記取得されたインタラクションの特徴を前記VR端末の認可されたユーザの予め設定されたインタラクションの特徴と比較するステップであって、成功した前記ユーザのアイデンティティの検証とともに、
前記予め設定された感知ハードウェアを介して、前記VR端末とインタラクションする前記ユーザの追加的なインタラクションの特徴を取得するステップであって、前記追加的なインタラクションの特徴が、行動上のインタラクションの特徴を含む、ステップと、
前記ユーザが前記VR端末の前記アイデンティティを検証されたユーザであるかどうかを判定するために、前記ユーザの前記取得された追加的なインタラクションの特徴を前記VR端末の前記アイデンティティを検証されたユーザの行動上のインタラクションの特徴と比較するステップであって、
前記VR端末の前記アイデンティティを検証されたユーザの前記行動上のインタラクションの特徴を表す予め設定された行動上のインタラクションの特徴特定モデルを取得するステップであって、前記予め設定された行動上のインタラクションの特徴特定モデルが、予め設定された深層学習アルゴリズムを使用して前記VR端末の前記アイデンティティを検証されたユーザの行動上のインタラクションの特徴のトレーニングサンプルを用いてトレーニングすることによって生成される、ステップと、
前記ユーザが前記VR端末の前記アイデンティティを検証されたユーザであるかどうかを判定するために、前記ユーザの前記取得された追加的なインタラクションの特徴を前記予め設定された行動上のインタラクションの特徴特定モデルと比較するステップと
を含む、ステップと
前記ユーザが前記VR端末の前記アイデンティティを検証されたユーザではないという判定に基づいて、前記ユーザに関する補足的なアイデンティティの検証を実行するステップと
を含む、ステップと、
前記成功したユーザのアイデンティティの検証に基づいて、前記目標タスクを実行し、かつ前記ユーザを前記VR端末のアイデンティティを検証されたユーザとして認証するステップと
を含む、コンピュータによって実施される方法。
【請求項２】
前記インタラクションの特徴が、
前記ユーザの頭の姿勢、
3次元ジェスチャ、または
視覚フォーカスの移動によって生成された変位軌跡
のうちのいずれか1つを含み、前記視覚フォーカスが、前記頭の姿勢、前記3次元ジェスチャ、または外部デバイスによって制御される、
請求項1に記載のコンピュータによって実施される方法。
【請求項３】
前記ユーザのアイデンティティの検証が不成功であり、前記方法が、
不成功のユーザのアイデンティティの検証に基づいて、不成功の検証の試みの回数を判定するステップと、
前記不成功の検証の試みの回数が予め設定された回数を超えているかどうかを判定するステップと、
前記不成功の検証の試みの回数が前記予め設定された回数を超えているという判定に基づいて、前記ユーザに関する補足的なアイデンティティの検証を実行するステップと、
成功した補足的なアイデンティティの検証に基づいて、前記目標タスクを実行するステップと
を含む、請求項1に記載のコンピュータによって実施される方法。
【請求項４】
前記ユーザに関する補足的なアイデンティティの検証を前記実行するステップが、
予め設定された生体特定ハードウェアを介して、前記ユーザの生体特徴を取得するステップと、
前記ユーザが前記VR端末の前記アイデンティティを検証されたユーザであるかどうかを判定するために、前記取得された生体特徴を前記VR端末の前記アイデンティティを検証されたユーザの予め設定された生体特徴と比較するステップと、
前記ユーザが前記VR端末の前記アイデンティティを検証されたユーザであるという判定に基づいて、前記ユーザの前記アイデンティティを検証するステップと
を含むか、または
アイデンティティ検証パスワードを前記ユーザから取得するステップと、
前記ユーザが前記VR端末の前記アイデンティティを検証されたユーザであるかどうかを判定するために、前記取得されたアイデンティティ検証パスワードを予め設定されたアイデンティティ検証パスワードと比較するステップと、
前記ユーザが前記VR端末の前記アイデンティティを検証されたユーザであるという判定に基づいて、前記ユーザの前記アイデンティティを検証するステップと
を含む、
請求項3に記載のコンピュータによって実施される方法。
【請求項５】
前記目標タスクが、前記VR端末のロックを解除するためのタスクを含む、請求項1に記載のコンピュータによって実施される方法。
【請求項６】
予め設定された感知ハードウェアを介して、ユーザのアイデンティティの検証を必要とする目標タスクの実行の要求に応じて、仮想現実(VR)端末とインタラクションするユーザのインタラクションの特徴を取得する動作と、
前記ユーザのアイデンティティを検証するために、前記ユーザの前記取得されたインタラクションの特徴を前記VR端末の認可されたユーザの予め設定されたインタラクションの特徴と比較する動作であって、成功した前記ユーザのアイデンティティの検証とともに、
前記予め設定された感知ハードウェアを介して、前記VR端末とインタラクションする前記ユーザの追加的なインタラクションの特徴を取得することであって、前記追加的なインタラクションの特徴が、行動上のインタラクションの特徴を含む、動作と、
前記ユーザが前記VR端末の前記アイデンティティを検証されたユーザであるかどうかを判定するために、前記ユーザの前記取得された追加的なインタラクションの特徴を前記VR端末の前記アイデンティティを検証されたユーザの行動上のインタラクションの特徴と比較する動作であって、
前記VR端末の前記アイデンティティを検証されたユーザの前記行動上のインタラクションの特徴を表す予め設定された行動上のインタラクションの特徴特定モデルを取得することであって、前記予め設定された行動上のインタラクションの特徴特定モデルが、予め設定された深層学習アルゴリズムを使用して前記VR端末の前記アイデンティティを検証されたユーザの行動上のインタラクションの特徴のトレーニングサンプルを用いてトレーニングすることによって生成される、動作と、
前記ユーザが前記VR端末の前記アイデンティティを検証されたユーザであるかどうかを判定するために、前記ユーザの前記取得された追加的なインタラクションの特徴を前記予め設定された行動上のインタラクションの特徴特定モデルと比較する動作と
を含む、動作と
前記ユーザが前記VR端末の前記アイデンティティを検証されたユーザではないという判定に基づいて、前記ユーザに関する補足的なアイデンティティの検証を実行する動作と
を含む、動作と、
前記成功したユーザのアイデンティティの検証に基づいて、前記目標タスクを実行し、かつ前記ユーザを前記VR端末のアイデンティティを検証されたユーザとして認証する動作と
を含む動作を実行するためにコンピュータシステムによって実行可能な1つまたは複数の命令を記憶する、非一時的コンピュータ可読媒体。
【請求項７】
前記インタラクションの特徴が、
前記ユーザの頭の姿勢、
3次元ジェスチャ、または
視覚フォーカスの移動によって生成された変位軌跡
のうちのいずれか1つを含み、前記視覚フォーカスが、前記頭の姿勢、前記3次元ジェスチャ、または外部デバイスによって制御される、
請求項6に記載の非一時的コンピュータ可読媒体。
【請求項８】
前記ユーザのアイデンティティの検証が不成功であり、前記動作が、
不成功のユーザのアイデンティティの検証に基づいて、不成功の検証の試みの回数を判定する動作と、
前記不成功の検証の試みの回数が予め設定された回数を超えているかどうかを判定する動作と、
前記不成功の検証の試みの回数が前記予め設定された回数を超えているという判定に基づいて、前記ユーザに関する補足的なアイデンティティの検証を実行する動作と、
成功した補足的なアイデンティティの検証に基づいて、前記目標タスクを実行する動作と
を含む、請求項6に記載の非一時的コンピュータ可読媒体。
【請求項９】
前記ユーザに関する補足的なアイデンティティの検証を前記実行する動作が、
予め設定された生体特定ハードウェアを介して、前記ユーザの生体特徴を取得し、
前記ユーザが前記VR端末の前記アイデンティティを検証されたユーザであるかどうかを判定するために、前記取得された生体特徴を前記VR端末の前記アイデンティティを検証されたユーザの予め設定された生体特徴と比較し、
前記ユーザが前記VR端末の前記アイデンティティを検証されたユーザであるという判定に基づいて、前記ユーザの前記アイデンティティを検証するか、または
アイデンティティ検証パスワードを前記ユーザから取得し、
前記ユーザが前記VR端末の前記アイデンティティを検証されたユーザであるかどうかを判定するために、前記取得されたアイデンティティ検証パスワードを予め設定されたアイデンティティ検証パスワードと比較し、
前記ユーザが前記VR端末の前記アイデンティティを検証されたユーザであるという判定に基づいて、前記ユーザの前記アイデンティティを検証する
ための1つまたは複数の命令を含む、請求項8に記載の非一時的コンピュータ可読媒体。
【請求項１０】
前記目標タスクが、前記VR端末のロックを解除するためのタスクを含む、請求項6に記載の非一時的コンピュータ可読媒体。
【請求項１１】
1つまたは複数のコンピュータと、
前記1つまたは複数のコンピュータと相互に利用可能に結合され、前記1つまたは複数のコンピュータによって実行されるとき、
予め設定された感知ハードウェアを介して、仮想現実(VR)端末とインタラクションするユーザのインタラクションの特徴を、ユーザのアイデンティティの検証を必要とする目標タスクの実行の要求に応じて、取得する動作と、
前記ユーザの前記取得されたインタラクションの特徴を前記ユーザのアイデンティティを検証するために前記VR端末の認可されたユーザの予め設定されたインタラクションの特徴と比較する動作であって、成功した前記ユーザのアイデンティティの検証とともに、
前記予め設定された感知ハードウェアを介して、前記VR端末とインタラクションする前記ユーザの追加的なインタラクションの特徴を取得することであって、前記追加的なインタラクションの特徴が、行動上のインタラクションの特徴を含む、動作と、
前記ユーザが前記VR端末の前記アイデンティティを検証されたユーザであるかどうかを判定するために、前記ユーザの前記取得された追加的なインタラクションの特徴を前記VR端末の前記アイデンティティを検証されたユーザの行動上のインタラクションの特徴と比較する動作であって、
前記VR端末の前記アイデンティティを検証されたユーザの前記行動上のインタラクションの特徴を表す予め設定された行動上のインタラクションの特徴特定モデルを取得することであって、前記予め設定された行動上のインタラクションの特徴特定モデルが、予め設定された深層学習アルゴリズムを使用して前記VR端末の前記アイデンティティを検証されたユーザの行動上のインタラクションの特徴のトレーニングサンプルを用いてトレーニングすることによって生成される、動作と、
前記ユーザが前記VR端末の前記アイデンティティを検証されたユーザであるかどうかを判定するために、前記ユーザの前記取得された追加的なインタラクションの特徴を前記予め設定された行動上のインタラクションの特徴特定モデルと比較する動作と
を含む、動作と
前記ユーザが前記VR端末の前記アイデンティティを検証されたユーザではないという判定に基づいて、前記ユーザに関する補足的なアイデンティティの検証を実行する動作と
を含む、動作と、
前記成功したユーザのアイデンティティの検証に基づいて、前記目標タスクを実行し、かつ前記ユーザを前記VR端末のアイデンティティを検証されたユーザとして認証する動作と
を含む動作を実行する1つまたは複数の命令を記憶する有形の非一時的機械可読媒体を有する1つまたは複数のコンピュータメモリデバイスと
を含む、コンピュータによって実装されるシステム。
【請求項１２】
前記インタラクションの特徴が、
前記ユーザの頭の姿勢、
3次元ジェスチャ、または
視覚フォーカスの移動によって生成された変位軌跡
のうちのいずれか1つを含み、前記視覚フォーカスが、前記頭の姿勢、前記3次元ジェスチャ、または外部デバイスによって制御される、
請求項11に記載のコンピュータによって実装されるシステム。
【請求項１３】
前記ユーザのアイデンティティの検証が不成功であり、前記システムが、
不成功のユーザのアイデンティティの検証に基づいて、不成功の検証の試みの回数を判定し、
前記不成功の検証の試みの回数が予め設定された回数を超えているかどうかを判定し、
前記不成功の検証の試みの回数が前記予め設定された回数を超えているという判定に基づいて、前記ユーザに関する補足的なアイデンティティの検証を実行し、
成功した補足的なアイデンティティの検証に基づいて、前記目標タスクを実行する
ようにさらに構成される、請求項11に記載のコンピュータによって実装されるシステム。
【請求項１４】
前記ユーザに関する補足的なアイデンティティの検証を実行することが、
予め設定された生体特定ハードウェアを介して、前記ユーザの生体特徴を取得し、
前記ユーザが前記VR端末の前記アイデンティティを検証されたユーザであるかどうかを判定するために、前記取得された生体特徴を前記VR端末の前記アイデンティティを検証されたユーザの予め設定された生体特徴と比較し、
前記ユーザが前記VR端末の前記アイデンティティを検証されたユーザであるという判定に基づいて、前記ユーザの前記アイデンティティを検証するか、または
アイデンティティ検証パスワードを前記ユーザから取得し、
前記ユーザが前記VR端末の前記アイデンティティを検証されたユーザであるかどうかを判定するために、前記取得されたアイデンティティ検証パスワードを予め設定されたアイデンティティ検証パスワードと比較し、
前記ユーザが前記VR端末の前記アイデンティティを検証されたユーザであるという判定に基づいて、前記ユーザの前記アイデンティティを検証する
ようにさらに構成される、請求項13に記載のコンピュータによって実装されるシステム。